(57)【要約】【課題】サファイアを切断予定ラインに沿って高精度かつ高速に切断することができるレーザ切断方法を提供すること。【解決手段】集光位置におけるレーザ強度が０.５〜５００ＰＷ／ｃｍ２の範囲内となるように、レーザパルスをサファイアの表面近傍に集光照射する。照射されたレーザパルスは、セルフチャネリング効果により形成される一過性の光導波路に沿ってサファイア内を光軸方向に伝播し、サファイア内にアスペクト比の高い応力ひずみ領域を形成する。【選択図】図３
2010239157.tif 000002
【特許請求の範囲】
【請求項１】
レーザパルスを集光レンズを通してサファイアに集光照射しながら、前記サファイアの切断予定ラインを前記レーザパルスビームで走査して、前記切断予定ラインに沿って前記サファイアに複数の応力ひずみ領域を形成するステップと、
前記複数の応力ひずみ領域が形成されたサファイアに機械的応力を加えて、前記サファイアを前記切断予定ラインに沿って切断するステップと、を有するレーザ切断方法であって、
前記応力ひずみ領域を形成するステップにおいて、前記レーザパルスを前記サファイアの表面近傍に集光照射するとともに、前記サファイアの表面における前記レーザパルスのレーザ強度を０.５〜５００ＰＷ／ｃｍ２の範囲内として、前記サファイアの表面を起点として内部に向かう、光軸方向に伸長した形状の応力ひずみ領域を、セルフチャネリング効果により形成する、
レーザ切断方法。
【請求項２】
前記レーザパルスは直線偏光であり、
前記レーザパルスの偏光方向は、前記サファイアの切断予定ラインの方向に対して略垂直で、かつ前記サファイアの表面に略平行である、
請求項１に記載のレーザ切断方法。
【請求項３】
前記集光レンズとサファイアとの距離は、前記集光レンズの作動距離±５００μｍの範囲である、請求項１に記載のレーザ切断方法。
【発明の詳細な説明】
【技術分野】
【０００１】
本発明は、サファイアを加工対象物とするレーザ切断方法に関する。
【背景技術】
【０００２】
近年、エレクトロニクスやフォトニクスなどの先端技術分野の急速な発展に伴い、これらを支える各種デバイス素子のさらなる微細化が大きく望まれている。従来、半導体デバイスを微細化する手段として、ダイヤモンドブレードなどによる機械的な切断技術が用いられてきた。これらは十分確立された技術ともいえるが、「切りしろ」による材料の歩留まりの低下や、微細化の加工分解能などといった本質的な限界に行き当たりつつある。一方、このような機械的な加工技術に代わり急速に進展しつつある微細加工技術として、レーザ加工法がある。
【０００３】
レーザ加工法は、加工対象物に高輝度のレーザパルスを照射し、焦点位置の微小領域における物質の構造破壊や改質などにより発生する損傷（クラック）を起点として、加工対象物を切断する方法である。この方法では、レーザ照射により生じる損傷を切断予定ラインに沿って複数形成した後、機械的応力を印加して加工対象物を微細なチップ状に切断する。加工対象物のうち、実用上特に重要なものとしては、機能性半導体層（例えば、シリコンやガリウム砒素など）を積層した誘電体基板（サファイアやガラスなど）からなる薄い板状のデバイスが挙げられる。
【０００４】
例えば、特許文献１には、加工対象物に対して透明な波長（加工対象物が吸収しない波長）のレーザパルスを加工対象物の内部に集光させて、集光位置において大きさが数十〜数百μｍ程度の乱れた形状を有する損傷（クラック）を発生させ、機械的応力を印加することによりこのクラックを起点として基板を切断する方法が開示されている。
【０００５】
また、特許文献２には、光学系を介してレーザパルスを加工対象物の表面上方に集光照射して加工対象物の表面にＶ字型の損傷を形成し、加工対象物を高い分解能で加工する方法が記載されている。
【先行技術文献】
【特許文献】
【０００６】
【特許文献１】特開２００３−１９５８２号公報
【特許文献２】特開２００６−１１４７８６号公報
【発明の概要】
【発明が解決しようとする課題】
【０００７】
特許文献１の加工方法では、加工対象物の内部に多光子吸収による改質領域（クラック領域、溶融処理領域または屈折率の変化した領域）を誘発させることで加工を行なっている。クラックの形成は、光学的絶縁破壊（ブレイクダウン）により誘起され、溶融熱処理領域の形成は、光熱的効果により誘起される。したがって、特許文献１の加工方法では、損傷サイズが比較的大きくなってしまい（数十〜数百μｍ程度）、加工精度には一定の限界があった。
【０００８】
一方、特許文献２の加工方法では、高い分解能で加工対象物を加工することはできるものの（クラック幅：１０μｍ）、形成されるクラックの深さが浅い（３０μｍ）ため、加工対象物を切断（割断）するにはクラックを連結させて形成する必要があり、加工速度には一定の限界があった（１０ｍｍ／ｓ）。
【０００９】
本発明は、かかる点に鑑みてなされたものであり、サファイアを高精度かつ高速にレーザ切断する方法を提供することを目的とする。
【課題を解決するための手段】
【００１０】
本発明者は、セルフチャネリング効果を利用してレーザパルスを光軸方向に伝播させることで、サファイア内の深部まで応力ひずみ領域を高精度かつ高速に形成できることを見出し、さらに検討を加えて本発明を完成させた。
【００１１】
すなわち、本発明は、以下に示すレーザ切断方法に関する。
【００１２】
［１］レーザパルスを集光レンズを通してサファイアに集光照射しながら、前記サファイアの切断予定ラインを前記レーザパルスビームで走査して、前記切断予定ラインに沿って前記サファイアに複数の応力ひずみ領域を形成するステップと、前記複数の応力ひずみ領域が形成されたサファイアに機械的応力を加えて、前記サファイアを前記切断予定ラインに沿って切断するステップと、を有するレーザ切断方法であって、前記応力ひずみ領域を形成するステップにおいて、前記レーザパルスを前記サファイアの表面近傍に集光照射するとともに、前記サファイアの表面における前記レーザパルスのレーザ強度を０.５〜５００ＰＷ／ｃｍ２の範囲内として、前記サファイアの表面を起点として内部に向かう、光軸方向に伸長した形状の応力ひずみ領域を、セルフチャネリング効果により形成する、レーザ切断方法。
［２］前記レーザパルスは直線偏光であり、前記レーザパルスの偏光方向は、前記サファイアの切断予定ラインの方向に対して略垂直で、かつ前記サファイアの表面に略平行である、［１］に記載のレーザ切断方法。
［３］前記集光レンズとサファイアとの距離は、前記集光レンズの作動距離±５００μｍの範囲である、［１］または［２］に記載のレーザ切断方法。
【発明の効果】
【００１３】
本発明によれば、サファイアを高精度かつ高速にレーザ切断することができる。また、本発明によれば、ウェハ上のマイクロデバイス層の損傷を回避しつつ、マイクロデバイス層／ウェハを切断することができる。
【図面の簡単な説明】
【００１４】
【図１】本発明のレーザ加工方法を用いた加工対象物の切断方法の一例を示す図
【図２】複数のレーザビームを１つの集光レンズに導入する例を示す図
【図３】セルフチャネリング効果を説明するための図
【図４】本発明のレーザ加工方法を用いて加工対象物に穴あけ加工をする様子を示す図
【図５】レーザの照射位置からの距離と電子密度との関係を示すグラフ
【図６】本発明のレーザ加工装置の構成の一例を示すブロック図
【図７】本発明のレーザ加工装置を用いた加工工程を示すフローチャート
【図８】実施例１の結果を示す写真
【図９】実施例２の結果を示す写真
【図１０】実施例３の結果を示す写真
【発明を実施するための形態】
【００１５】
１．本発明のレーザ加工方法
本発明のレーザ加工方法は、レーザパルスを集光レンズにより加工対象物の表面近傍に集光照射するステップを有し、所定のパルス幅のレーザパルスを所定の強度で加工対象物の表面近傍に照射することを特徴とする。後述するように、加工対象物に照射されたレーザパルスは、セルフチャネリング効果により形成される一過性の光導波路に沿って加工対象物内を光軸方向に伝播し、加工対象物内に応力ひずみ領域を形成する。
【００１６】
なお、本明細書において「応力ひずみ領域」とは、レーザ光を吸収することで生じる改質、クーロン爆発、原子構造再配列、熱膨張、溶融などの現象により均一な加工対象物内に不均一な領域が出現し、その結果、加工対象物内において応力がかかり、脆くなった領域をいう。ここで「改質」には、アモルファス化や、多結晶化、化学結合の切断、イオン化による電子価数またはイオン価数の変化などが含まれる。
【００１７】
図１は、本発明のレーザ加工方法を用いて加工対象物を切断する例を示す図である。図１（Ａ）に示されるように、レーザパルス１００を加工対象物１１０の表面近傍に集光照射するステップを繰り返しながら、レーザパルス１００と加工対象物１１０との相対位置を変えることで、応力ひずみ領域１３０を切断予定ライン１２０に沿って複数形成することができる。図１（Ｂ）に示されるように、加工対象物１１０に応力ひずみ領域１３０を複数形成した後、加工対象物１１０に機械的応力（例えば、曲げ応力やせん断応力など）を加えることにより、図１（Ｃ）に示されるように、加工対象物１１０を切断予定ライン１２０に沿って容易に切断（割断）することができる。本発明のレーザ加工方法を用いて切断された加工対象物は、乱れがなく平坦かつシャープな切断面を有する（実施例参照）。
【００１８】
本発明のレーザ加工方法において、レーザパルスの光源は、特に限定されず、Ｔｉ:サファイアレーザやクロムフォルステライトレーザ、Ｙｂ:ＹＡＧレーザ、Ｙｂ:ＫＧＷレーザ、Ｙｂ:ＫＧ（ＷＯ４）２レーザ、各種ファイバーレーザ、各種ディスクレーザ、各種色素レーザなどを用いることができる。レーザビームの種類（光強度分布に関する分類）は、特に限定されないが、後述するようにポンデラモーティブ力の作用によるセルフチャネリング効果を利用する観点からガウシアンビームが好ましい。
【００１９】
本発明は、レーザパルスのレーザ強度が０.５〜５００ＰＷ（ペタワット）／ｃｍ２の範囲内であることを一つの特徴とする。ここで「レーザパルスのレーザ強度」とは、集光点におけるレーザ強度を意味する。後述するように、０.５ＰＷ／ｃｍ２以上のレーザ強度のレーザパルスを加工対象物に照射することで、加工対象物内の電子にポンデラモーティブ力を作用させることができ、結果としてセルフチャネリング効果を利用したレーザパルスの伝播および応力ひずみ領域の形成を実現することができる。レーザ強度の上限を５００ＰＷ／ｃｍ２としているのは、現段階における実用的なレーザのレーザ強度の最高値であるためであり、これ以上の値でも同様の効果を得られる可能性はある。
【００２０】
また、本発明は、レーザパルスのパルス幅が１００〜１０００フェムト秒の範囲内であることも一つの特徴とする。レーザパルスのパルス幅が１００フェムト秒未満の場合、現実的な問題として高出力レーザパルスを安定して照射するのが難しく、レーザパルスのパルス幅が１０００フェムト秒を超える場合、加工精度の低下に繋がる光学的絶縁破壊（ブレイクダウン）が発生してしまう恐れがある。
【００２１】
レーザパルスの偏光特性は、特に限定されないが、後述するようにポンデラモーティブ力の作用によるセルフチャネリング効果を利用する観点から直線偏光であることが好ましい。レーザパルスが直線偏光の場合、レーザパルスの偏光方向は切断予定ラインに対して略垂直な方向で、かつ加工対象物の表面に略平行な方向（図１（Ａ）の矢印１０２の方向）であることが好ましい。本発明のレーザ加工方法を用いて結晶性材料であるサファイアを加工したところ、レーザパルスの偏光方向に対して垂直な方向にサファイアが切断（割断）されやすいという傾向が明確に認められた。したがって、本発明のレーザ加工方法を用いてサファイアを切断（割断）する場合であれば、レーザパルスの偏光方向を切断予定ラインに対して略垂直な方向とすることで、切断（割断）されやすい方向と切断予定ラインの方向とを一致させることができ、より効率的に切断（割断）を行うことができる。
【００２２】
レーザパルスは通常直線偏光であるが、レンズを通過したりミラーで反射されたりすると、その偏光面が回転したり解消されたりする。したがって、レーザパルスの偏光方向を波長板（１／２波長板、１／４波長板）や偏光板などの偏光調整器を用いて所望の方向（例えば、切断予定ラインに対して略垂直な方向）に調整することが好ましい。
【００２３】
レーザパルスのパルスエネルギーは、特に限定されないが、１〜１０００μＪ／パルスの範囲内であることが好ましい。ここで「パルスエネルギー」とは、集光レンズ通過後のレーザパルスの１パルス当りのエネルギーを意味する。レーザパルスのパルスエネルギーは、加工対象物の電子を励起することができ、かつこの励起電子にポンデラモーティブ力を作用させることができる範囲内であればよく、加工対象物の材質や厚さなどによって適宜選択すればよい。
【００２４】
レーザパルスの波長は、加工対象物のバンドギャップに応じて適宜選択すればよいが、５００〜１６００ｎｍの範囲内であることが好ましい。例えば、レーザパルスの１光子のエネルギーｈ（ｃ／λ）（ｈ：プランク定数、ｃ：光速、λ：レーザ光の波長）は、バンドギャップ（Ｅｇ）に対して「１ｈ（ｃ／λ）≦Ｅｇ≦ｎｈ（ｃ／λ）」（ｎ＝８〜９程度）の範囲の関係にあればよい。この式からわかるように、応力ひずみ領域は１光子吸収または多光子吸収のいずれによっても形成されうる。なお、この範囲を若干逸脱しても応力ひずみ領域を形成することは可能である。
【００２５】
レーザパルスの繰り返し周波数は、特に限定されないが、１ｋＨｚ〜１ＭＨｚの範囲内であることが好ましい。
【００２６】
例えば、加工対象物が厚さ５０〜２００μｍのサファイアの場合、レーザパルスのパルスエネルギーは５〜１５μＪ／パルスの範囲内であることが好ましく、波長は５００〜１５００ｎｍの範囲内であることが好ましい。加工対象物の厚みが増した場合は、レーザパルスのパルスエネルギーを増大させるか、繰り返し周波数を増大させるか、または走査速度を遅くするなどの調整を適宜行えばよい。
【００２７】
また、加工対象物がレーザパルス照射面の反対側の面に機能層を有する場合、レーザパルスのパルスエネルギーは、応力ひずみ領域が機能層まで到達しない程度の強度であることが好ましい。応力ひずみ領域が機能層まで到達すると、機能層の機能を阻害し、デバイスの寿命を縮めてしまうおそれがあるからである。
【００２８】
集光レンズは、レーザパルスを加工対象物の表面近傍に集光させるための凸レンズである。集光レンズの開口数は、レーザパルスのレーザ強度を０.５ＰＷ／ｃｍ２以上とする観点から、０.４〜０.９５の範囲内であることが好ましい。
【００２９】
集光レンズによって集光されたレーザパルスは、加工対象物の表面近傍に照射される。ここで「加工対象物の表面近傍に照射する」とは、レーザパルスの集光点が加工対象物の表面から±５００μｍの範囲内に位置するように照射することを意味する。集光レンズと加工対象物との距離（Ｌ）は、集光レンズの作動距離（ＷＤ）±５００μｍの範囲内であること、すなわち以下の式を満たすことが好ましい。
ＷＤ−５００μｍ≦Ｌ≦ＷＤ＋５００μｍ
【００３０】
ここで「作動距離（ＷＤ）」とは、加工対象物の表面に焦点を合わせたときの集光レンズ（対物レンズ）の先端（表面）から加工対象物までの最短距離を意味する。したがって、レーザパルスの集光点は、加工対象物の外部であっても内部であってもよいが、加工対象物の内部である方がより好ましい。
【００３１】
光源から出射されたレーザビームは、２本以上のレーザビームに分割されてもよい。このとき、ハーフミラーなどを用いることで、分割するレーザビームのエネルギー強度を調整することができる。このようにレーザビームを分割する場合、各レーザビームを異なる集光レンズを介してそれぞれ異なる加工対象物に照射してもよい。このようにすることで、１つのレーザ光源を用いて複数の加工対象物を同時にレーザ加工することができる。
【００３２】
また、複数本のレーザビームが１つの集光レンズに導入されてもよい。このとき、各レーザビームは、それぞれ異なるレーザ光源から出射されたレーザビームであってもよいし、１つのレーザ光源から出射されたレーザビームを分割したレーザビームであってもよい。各レーザパルスは、集光レンズに同時に導入されてもよいし、異なるタイミングで導入されてもよい。１つの集光レンズに導入されるレーザビームの数は、特に限定されないが、１〜８本の範囲内であることが好ましい。
【００３３】
複数本のレーザビームが１つの集光レンズに導入される場合、各レーザビームは、加工対象物の異なる領域を照射するように集光レンズに導入されることが好ましい。例えば、各レーザビームの集光レンズへの入射角度を変えることにより、各レーザビームの照射位置を異なるものとすることができる。例えば、図２に示すように、レーザビーム１００ａ，ｂをそれぞれ異なるミラー１４０ａ，ｂを用いて反射させることにより、レーザビーム１００ａ，ｂの集光レンズ１５０への入射角度を変えることができる。より具体的には、レーザビーム１００ａ，ｂの集光レンズ１５０への入射角度は、ミラー１４０ａ，ｂのチルト角を調整することにより制御することができる。各レーザビームの照射位置の間隔は、後述するように１〜５０μｍの範囲内であることが好ましい。このように、複数本のレーザビームを１つの集光レンズに導入することで、加工時間をさらに短縮することができる。
【００３４】
加工対象物は、特に限定されないが、レーザ加工後に機械的応力を加えて切断（割断）する場合は、切断を容易にする観点から結晶性の部材であることが好ましい。また、加工対象物のバンドギャップは、０.９ｅＶ以上であることが好ましい。このような加工対象物として、サファイアやシリコンカーバイド、ガラス類、ダイアモンドなどが挙げられる。
【００３５】
前述の通り、レーザパルスを加工対象物の表面近傍に集光照射するステップを繰り返しながら、レーザパルスと加工対象物との相対位置を変えることで、応力ひずみ領域を切断予定ラインに沿って複数形成することができる（図１参照）。例えば、レーザパルスを照射するステップを繰り返しながら加工対象物を１０〜２０００ｍｍ／秒の速度で移動させて、切断予定ラインをレーザビームで走査すればよい。走査回数は、特に限定されないが、１回走査してもよいし、２回以上繰り返し走査してもよい。
【００３６】
また、あるレーザパルスの発振が開始されてから次のレーザパルスの発振が開始されるまでの間（「１サイクルタイム」という）に、加工対象物は１〜５０μｍ程度移動されることが好ましい。このようにすることで、加工対象物に形成される応力ひずみ領域（または穴）の間隔（それぞれの中心間の距離）が１〜５０μｍの範囲内となり、機械的応力を加えた際に切断予定ラインに沿って容易に切断（割断）することができる。なお、隣接する応力ひずみ領域は、連結していてもよいし、離れていてもよい。本発明のレーザ加工方法では、応力ひずみ領域が加工対象物の深部まで形成されるため、隣接する応力ひずみ領域が離れていても切断予定ラインに沿って容易に切断することができる。
【００３７】
２．セルフチャネリング効果を利用した応力ひずみ領域の形成
本発明のレーザ加工方法では、加工対象物に照射されたレーザパルスは、セルフチャネリング効果により形成される一過性の光導波路に沿って加工対象物内を光軸方向に伝播し、加工対象物内に応力ひずみ領域を形成する。以下、図３を参照して、本発明のレーザ加工方法において応力ひずみ領域が形成されるメカニズムについて説明する。
【００３８】
まず、レーザ強度が非常に高いレーザパルス１００（１パルス）が加工対象物１１０の表面近傍に集光照射されると、加工対象物１１０の表面近傍においてレーザパルスの前半部分１００−１により多光子吸収が生じ、電子が励起されて束縛の弱い状態または電離状態になる（図３（Ａ）参照）。なお、レーザパルス１００のレーザ強度がさらに高い場合は、プラズマがさらに発生する（図示せず）。
【００３９】
レーザパルス１００（図３（Ａ）と同一のパルス）が加工対象物１１０内に進入すると、レーザパルス１００によるポンデラモーティブ力２１０（後述）が励起電子２００に作用する。このポンデラモーティブ力により、励起電子２００はレーザパルス１００の照射領域の周囲に追い出される（図３（Ｂ）参照）。結果として、レーザパルス１００の照射領域では、励起電子２００が追い出されるために電子の密度が低くなり、照射領域の周辺領域では、追い出されてきた励起電子２２０の分だけ電子の密度が高くなる。
【００４０】
後述するように、電子密度は屈折率に寄与するため、照射領域の周囲近傍に形成される電子密度の高い領域２３０は屈折率が小さく、照射領域内の電子密度の低い領域２４０は屈折率が大きくなる。このように、照射領域およびその周辺領域に屈折率の分布が生じることで、一過性の導波路が形成され、レーザパルスの中間部分１００−２および後半部分１００−３はこの導波路内に閉じ込められながら進行するとともに応力ひずみ領域１３０を形成する（図３（Ｃ）参照）。このように、自ら導波路を形成することを「セルフチャネリング」という。
【００４１】
以後、レーザパルス１００のエネルギーが消失するまで、セルフチャネリング効果による深部への進行と応力ひずみ領域１３０の形成が続く（図３（Ｄ）参照）。レーザパルスのエネルギーは、加工対象物による多光子吸収だけでなく、プラズマによる散乱によっても消費される。最終的に、レーザパルス１００を単発照射するだけで、応力ひずみ領域１３０を加工対象物１１０内の深部まで形成することができる（図３（Ｅ）参照）。
【００４２】
なお、同じ領域にレーザパルス１００を繰り返し照射することで、加工対象物１１０にアスペクト比の高い穴２５０を形成することもできる（図３（Ｆ）参照）。レーザパルス１００を同一領域に照射する回数は、特に限定されないが、１〜１０７回の範囲内であることが好ましい。
【００４３】
図４は、加工対象物にアスペクト比の高い穴を形成する様子を示す図であり、左から右に向かって各ステップを時系列で示している。図４において、１回目のレーザパルス１００ａを照射すると、上述の通り応力ひずみ領域１３０が形成される。次いで、２回目のレーザパルス１００ｂを同じ領域に照射すると、応力ひずみ領域１３０の最表層においてアブレーション２６０が発生し、応力ひずみ領域１３０の最表層の部分が除去される。以後同様に、３回、４回とレーザパルス１００ｃ，ｄを同じ領域に照射することで、応力ひずみ領域１３０であった領域にアスペクト比の高い穴２５０を形成することができる。
【００４４】
３．ポンデラモーティブ力について
ここで、本発明のレーザ加工方法のメカニズムの骨子となる「ポンデラモーティブ力」について簡単に説明する。
【００４５】
自由な電子または束縛のゆるい電子に周波数ｎの光を照射すると、光を照射された電子は、光の交周電場に揺さぶられ、その電場Ｅ（ｔ）に追随して振動しようとする。完全に自由な電子の場合、周波数（振動数）ｎの光を照射すると、電子は振動数ｎで振動しようとする。この過程は、電子と光との相互作用の基本過程であり、線形過程である。
【００４６】
ところが、入射光の強度（光子数）が高くなってくると、上記のような線形過程の他に、様々な非線形過程が誘起されるようになる。特に、入射光のレーザ強度（Ｉ）が１ｃｍ２あたり０.５ＰＷ以上になると（Ｉ≧０.５ＰＷ／ｃｍ２）、ポンデラモーティブ力（ponderomotive force）と呼ばれる非線形な力が電子に作用するようになる。
【００４７】
ポンデラモーティブ力は、入射光の電磁場と電子とがローレンツの力を通じて相互作用して発生する力である。ポンデラモーティブ力の力ベクトルＦｐは、以下の式（１）のように書くことができる。
【数１】
2010239157.tif 000003
ここで、ｅは電子の電荷素量、ｍｅは電子の質量、ωは入射光の周波数（振動数）、Ｅは入射光の電場ベクトルであり、∇はナブラ演算子である。
【００４８】
式（１）から、電子が光のような勾配電場によってポンデラモーティブ力を受けた場合、ポンデラモーティブ力は、電場の強い領域から電場の弱い領域へと向かう方向に電子を追い出そうとする力として作用することがわかる。したがって、レーザパルスがガウシアンビーム型の強度分布を有するような場合は、図３（Ｂ）に示されるように、励起電子は、ポンデラモーティブ力によってレーザビーム光軸の中央部分から周辺部位へと追い出されるのである。
【００４９】
前述の通り、本発明のレーザ加工方法において、加工対象物にレーザパルスを照射すると、照射領域に存在する電子は、レーザパルスの前半部分により励起され、束縛の弱い状態または電離状態になる（図３（Ａ）参照）。次いで、当該領域にレーザパルスの中間部分が進入すると、レーザパルスの中間部分は、励起電子にポンデラモーティブ力を作用させる。ここでレーザがガウシアンビーム型の強度分布を有する場合は、励起電子はポンデラモーティブ力によってビーム光軸の中央部分から周辺部位へと追い出され（図３（Ｂ）参照）、照射領域において屈折率の分布が生じ、一過性の「導波路」が形成される（図３（Ｃ）参照）。
【００５０】
この作用を定式化して以下に述べる。上記のポンデラモーティブ力による電子の移動の結果、屈折率分布ｎ（ｒ）は式（２）のようになる。
【数２】
2010239157.tif 000004
ここで、座標ｒは光軸に対して垂直方向の軸である。ｎ０は材料の屈折率であり、ｎ２は非線形屈折率（カー効果による）であり、Ｉ（ｒ）は入射光の強度分布関数（ガウス関数）であり、ωｐ（ｒ）は材料中のプラズマ振動数である。
【００５１】
ここで、ωｐ（ｒ）は、
【数３】
2010239157.tif 000005
である。Ｎｅ（ｒ）は、電子密度をあらわす関数である。
【００５２】
その結果、Ｎｅ（ｒ）は、バルク中の電子密度（Ｎｂ）を用いると、以下の式が成立する。
【数４】
2010239157.tif 000006
【００５３】
図５は、上の式（４）から得られる、レーザの集光点における、レーザの集光点からの距離と電子密度との関係を示すグラフである。横軸（ｒ）は、光軸に対して垂直方向の座標（距離）を示し、０が光軸中心を示す。縦軸（Ｎｅ（ｒ）／Ｎｂ）は、バルク中の電子密度（Ｎｂ）を１としたときの電子密度を示す。また、曲線１はビーム径を「１Ｄ」とし、レーザ強度を「７.８Ｉ」としたときのシミュレーション結果を示し、曲線２はビーム径を「２Ｄ」とし、レーザ強度を「４Ｉ」としたときのシミュレーション結果を示し、曲線３はビーム径を「２.８Ｄ」とし、レーザ強度を「１Ｉ」としたときのシミュレーション結果を示す（「Ｄ」および「Ｉ」に特別な意味はない）。前述の通り、電子密度が低い領域では屈折率は大きくなり、電子密度が高い領域では屈折率は小さくなる。したがって、このグラフより、ビーム光軸中央部で屈折率が大きく、周辺部では屈折率が小さい「導波路」が一時的に形成されることがわかる。
【００５４】
４．まとめ
以上のように、本発明のレーザ加工方法は、レーザ強度が非常に高いレーザパルス（０.５ＰＷ／ｃｍ２以上）を加工対象物の表面近傍に集光照射することで、セルフチャネリング効果により加工対象物内に形成される一過性の光導波路に沿ってレーザパルスを伝播させ、アスペクト比の高い応力ひずみ領域を高精度に形成することができる。したがって、本発明のレーザ加工方法を用いて加工対象物を切断すれば、加工対象物を切断予定ラインに沿って高精度かつ容易に切断することができる。
【００５５】
また、本発明のレーザ加工方法は、レーザパルスの単発照射でアスペクト比の高い応力ひずみ領域を形成することができ、かつ隣接する応力ひずみ領域同士は連結している必要がないため、加工対象物を短時間で加工することができる。したがって、本発明のレーザ加工方法を用いて加工対象物を切断すれば、加工対象物を高速に切断することができる。
【００５６】
また、本発明のレーザ加工方法は、加工ラインの幅を２μｍ程度まで小さくすることができる。したがって、本発明のレーザ加工方法を用いて加工対象物を切断すれば、チップの収率を向上させることができる。
【００５７】
また、本発明のレーザ加工方法は、穴あけ加工を行うことなく応力ひずみ領域を形成することができる。したがって、本発明のレーザ加工方法を用いて加工対象物を切断すれば、発塵量を極めて少量に抑えつつ、加工対象物を切断することができる。
【００５８】
５．本発明のレーザ加工装置
本発明のレーザ加工方法は、これに限定されるわけではないが、図６に示されるレーザ加工装置を用いて実施することができる。
【００５９】
図６において、レーザ加工装置３００は、レーザ光源３１０、テレスコープ光学系３２０、偏光調整光学系３３０、ダイクロイックミラー３４０、集光レンズ１５０、ステージ３５０、観察用光学系３６０、自動照準システム３７０、ハーフミラー３８０、ＸＹＺステージコントローラ３９０、コンピュータ４００、およびモニタ４１０を有する。
【００６０】
レーザ光源３１０は、レーザパルスを発生させる。レーザ光源は、例えば、波長５００〜１６００ｎｍ、パルス幅１００〜１０００フェムト秒、繰り返し周波数１ｋＨｚ〜１ＭＨｚ、パルスエネルギー１〜１０００μＪ／パルスのレーザパルスを発生させる。レーザ光源３１０は、例えば、Ｔｉ:サファイアレーザやクロムフォルステライトレーザ、Ｙｂ:ＹＡＧレーザ、Ｙｂ:ＫＧＷレーザ、Ｙｂ:ＫＧ（ＷＯ４）２レーザ、各種ファイバーレーザ、各種ディスクレーザ、各種色素レーザなどである。
【００６１】
テレスコープ光学系３２０は、好ましい加工形状を得るために、レーザ光源３１０から出力されたレーザパルスのビーム径を最適化する光学系である。
【００６２】
偏光調整光学系３３０は、テレスコープ光学系３２０を通過したレーザパルスを、加工対象物１１０の切断予定ラインに対して垂直な直線偏光に調整する。例えば、偏光調整光学系３３０は、１／２波長板や偏光板などの偏光調整器を含む。
【００６３】
ダイクロイックミラー３４０は、偏光調整光学系３３０を通過したパルスレーザをほぼ１００％反射させ、観察用光学系３６０からの観察光および自動照準システム３７０からの計測用レーザをほぼ１００％透過させるミラーである。
【００６４】
集光レンズ１５０は、開口数が０.４〜０.９５の顕微鏡用の対物レンズであって、ダイクロイックミラー３４０で反射されたレーザパルスを集光する。集光レンズ１５０と加工対象物１１０の表面との距離（Ｌ）が集光レンズの作動距離（ＷＤ）±５００μｍの範囲を満たすように、集光レンズ１５０は配置されている。
【００６５】
ステージ３５０は、加工対象物１１０が載置される載置台と、載置台をＸＹＺ軸方向に移動させることおよびＸＹＺ軸を中心として回転させることができる駆動機構とを有する。ステージ３５０上の加工対象物１１０は、この駆動機構によって切断予定ラインに沿ってＸＹ軸方向に移動されるだけでなく、Ｚ軸方向にも移動されうる。加工対象物１１０をＺ軸方向に移動させることで、レーザパルスの集光点を加工対象物１１０の表面近傍の所望の位置に設定することができる。
【００６６】
観察用光学系３６０は、加工対象物１１０の加工部位を観察するための光学系である。例えば、観察用光学系３６０は、照明光学系や、光学絞り、ＣＣＤカメラなどを含む。ＣＣＤカメラにより撮像された撮像データは、コンピュータ４００に出力され、モニタ４１０に表示される。
【００６７】
自動照準システム３７０は、加工対象物１１０の表面の位置を計測するための計測用レーザを発生させる計測用光源や、加工対象物１１０の表面からの計測用レーザの反射光を検出する検出器などを有する。自動照準システム３７０は、ステージ３５０上の加工対象物１１０の表面からの計測用レーザの反射光を検出して加工対象物１１０の表面位置を検出する。検出結果は、ＸＹＺステージコントローラ３９０に出力される。
【００６８】
ハーフミラー３８０は、自動照準システム３７０からの計測用レーザをほぼ１００％反射させ、観察用光学系３６０からの観察光をほぼ１００％透過させるミラーである。自動照準システム３７０からの計測用レーザは、ハーフミラー３８０、ダイクロイックミラー３４０、および集光レンズ１５０を透過して加工対象物１１０の表面に到達し、反射される。この反射光は、再び集光レンズ１５０およびダイクロイックミラー３４０を透過し、ハーフミラー３８０で反射されて自動照準システム３７０に到達する。
【００６９】
ＸＹＺステージコントローラ３９０は、フィードバック回路を有し、自動照準システム３７０によって得られた加工対象物１１０の表面位置の情報に基づいて、レーザパルスの照射が切断予定ライン（ＸＹ軸方向）に合うように、ステージ３５０をフィードバック制御する。
【００７０】
コンピュータ４００は、レーザ光源３１０、観察用光学系３６０、およびＸＹＺステージコントローラ３９０に接続されており、これら各部を総合的に制御する。例えば、コンピュータ４００は、所定のプログラムに従って、ＸＹＺステージコントローラ３９０によるフィードバック制御を通じてステージ３５０を駆動させることにより、レーザビームで任意の切断予定ラインを走査する。
【００７１】
次に、上記構成を有するレーザ加工装置３００を用いた加工工程について、図７に示すフローチャートを用いて説明する。
【００７２】
まず、加工対象物１１０に対するレーザ光源３１０の最適なレーザ強度を決定する（Ｓ１０００）。前述の通り、加工対象物１１０の表面におけるレーザ強度が０.５〜５００ＰＷ／ｃｍ２の範囲内となるように決定することが好ましい。次いで、ステージ３５０を移動させてレーザパルスの照射位置を決定し（Ｓ１１００）、コンピュータ４００に対して切断予定ラインのプログラミングを行う（Ｓ１２００）。
【００７３】
次いで、加工対象物１１０をステージ３５０の載置台に載置して位置決めを行う（Ｓ１３００）。このとき、計測用および照明用の光源をオンにする。次いで、レーザ光源３１０をオンにしてレーザパルスを加工対象物１１０の切断予定ラインに集光照射する（Ｓ１４００）。これにより、加工対象物１１０の切断予定ライン上に応力ひずみ領域が形成される。このとき、切断予定ラインに沿ってステージ３５０をＸＹ軸方向（水平方向）に移動することで、切断予定ラインに沿って応力ひずみ領域を形成することができる。
【００７４】
最後に、加工対象物１１０に機械的応力を印加して、加工対象物１１０の切断予定ラインに沿って切断（割断）する（Ｓ１５００）。これにより、加工対象物１１０は微小なチップに切断される。
【００７５】
以下、本発明を実施例を参照してさらに詳細に説明するが、本発明はこれらの実施例により限定されない。
【実施例１】
【００７６】
実施例１では、本発明のレーザ加工方法を用いてサファイア基板を切断（割断）した例を示す。
【００７７】
本実施例では、図６に示される構成のレーザ加工装置を使用した。高出力半導体レーザからの励起光をレーザ光源（Ｙｂ：ＫＧＷ）に照射して、レーザパルス（パルス幅：約３００フェムト秒，波長：１０３０ｎｍ，繰り返し周波数：３０ｋＨｚ）を発振させた。集光レンズの開口数は、０.６８とした。
【００７８】
厚さ約１００μｍのサファイア基板（Ａｌ２Ｏ３）をステージ上に載置し、基板の表面近傍に集光するようにレーザ光源から発振されたレーザパルスを基板に照射した。このとき、レーザパルスの偏光方向を、走査方向（切断予定ラインの方向）に垂直な方向で、かつ基板の表面に平行な方向の直線偏光とした。集光レンズ通過後のレーザパルスのパルスエネルギーは、１４μＪ／パルスであった。また、レーザ強度は〜５ＰＷ／ｃｍ２であった。
【００７９】
基板を載置したステージを切断予定ラインの方向に１５０ｍｍ／秒の速度で移動させることで、切断予定ラインに沿って５μｍごとにレーザパルスを１回照射した。切断予定ラインの走査回数は１回とした（シングルスキャン）。
【００８０】
図８（Ａ）は、レーザ照射後の基板表面の顕微鏡写真である。この図に示されるように、形成された応力ひずみ領域の幅（加工ラインの幅）は約５μｍであり、きわめて高い分解能で加工することができた。応力ひずみ領域同士は連結しておらず、隣接する各応力ひずみ領域の中心間の距離は約５μｍであった。
【００８１】
このレーザ照射された基板に機械的応力を加えたところ、容易に切断（割断）することができた。図８（Ｂ）は、切断後の基板断面の様子を示す顕微鏡写真である。図８（Ｃ）は、その断面をさらに拡大した顕微鏡写真である。図８（Ｂ）および図８（Ｃ）に示されるように、応力ひずみ領域は、基板の厚さの半分程度の深さ（約６０μｍ）まで伸長しており、基板の裏面には達していなかった。また、切断面は、平滑かつ基板面に対して垂直であった。
【００８２】
このように、本発明のレーザ加工方法を用いることで、アスペクト比の高い応力ひずみ領域を切断予定ラインに沿って高精度かつ高速に形成することができ、結果としてサファイア基板を切断予定ラインに沿って高精度かつ高速に切断することができる。
【実施例２】
【００８３】
実施例２では、実施例１と異なるレーザ照射条件（繰り返し周波数、レーザパルスエネルギー、レーザ強度、レーザ照射間隔）で、本発明のレーザ加工方法を用いてサファイア基板を切断（割断）した例を示す。
【００８４】
本実施例では、実施例１と同じ構成のレーザ加工装置を使用した。高出力半導体レーザからの励起光をレーザ光源（Ｙｂ：ＫＧＷ）に照射して、レーザパルス（パルス幅：約３００フェムト秒，波長：１０３０ｎｍ，繰り返し周波数：１０ｋＨｚ）を発振させた。集光レンズの開口数は、０.６８とした。
【００８５】
実施例１と同様のサファイア基板をステージ上に載置し、基板の表面近傍に集光するようにレーザ光源から発振されたレーザパルスを基板に照射した。このとき、レーザパルスの偏光方向を、走査方向（切断予定ラインの方向）に垂直な方向で、かつ基板の表面に平行な方向の直線偏光とした。照射されたレーザパルスのパルスエネルギーは５μＪ／パルスであった。また、レーザ強度は〜１.８ＰＷ／ｃｍ２であった。
【００８６】
基板を載置したステージを切断予定ラインの方向に沿って１００ｍｍ／秒の速度で移動させることで、切断予定ラインに沿って１０μｍごとに基板にレーザパルスを１回照射した。切断予定ラインの走査回数は１回とした（シングルスキャン）。
【００８７】
図９（Ａ）は、レーザ照射後の基板表面の顕微鏡写真である。この図に示されるように、応力ひずみ領域の幅（加工ラインの幅）は約２μｍであり、きわめて高い分解能で加工することができた。応力ひずみ領域同士は連結しておらず、隣接する各応力ひずみ領域の中心間の距離は約１０μｍであった。
【００８８】
このレーザ照射された基板に機械的応力を加えたところ、容易に切断することができた。図９（Ｂ）は、切断後の基板断面の様子を示す顕微鏡写真である。図９（Ｃ）は、その断面をさらに拡大した顕微鏡写真である。図９（Ｂ）および図９（Ｃ）に示されるように、応力ひずみ領域は、基板の厚さの半分程度の深さ（図中縦方向のスケールバー：約４４μｍ）まで伸長しており、基板の裏面には達していなかった。また、切断面は、平滑かつ基板面に対して垂直であった。
【００８９】
このように、本発明のレーザ加工方法を用いることで、アスペクト比の高い応力ひずみ領域を切断予定ラインに沿って高精度かつ高速に形成することができ、結果としてサファイア基板を切断予定ラインに沿って高精度かつ高速に切断することができる。
【実施例３】
【００９０】
実施例１，２では、１つの領域につきレーザパルスを１回照射して応力ひずみ領域を形成する例を示した。実施例３では、１つの領域につきレーザパルスを複数回（１００回）照射して穴あけ加工した例を示す。
【００９１】
本実施例では、実施例１と同じ構成のレーザ加工装置を使用した。高出力半導体レーザからの励起光をレーザ光源（Ｙｂ：ＫＧＷ）に照射して、レーザパルス（パルス幅：約３００フェムト秒，波長：１０３０ｎｍ，繰り返し周波数：８０ｋＨｚ）を発振させた。集光レンズの開口数は、０.６５とした。
【００９２】
実施例１と同様のサファイア基板をステージ上に載置し、基板の表面近傍に集光するようにレーザ光源から発振されたレーザパルスを基板の１つの領域に１００回照射した。このとき、レーザパルスの偏光方向を、基板の表面に平行な方向の直線偏光とした。照射されたレーザパルスのパルスエネルギーは１０μＪ／パルスであった。また、レーザ強度は〜３.３ＰＷ／ｃｍ２であった。
【００９３】
図１０（Ａ）は、レーザ照射後の基板表面の顕微鏡写真である。この図に示されるように、形成された穴の大きさは約１２μｍであり、きわめて高い分解能で加工することができた。図１０（Ｂ）は、レーザ照射後の基板断面の様子を示す顕微鏡写真である。図１０（Ｂ）に示されるように、形成された穴は、深さ約２０μｍまで伸長しており、基板の裏面には達していなかった。
【００９４】
このように、本発明のレーザ加工方法を用いることで、アスペクト比の高い穴を切断予定ラインに沿って高精度かつ高速に形成することができ、結果としてサファイア基板を切断予定ラインに沿って高精度かつ高速に切断することができる。
【産業上の利用可能性】
【００９５】
本発明のレーザ切断方法は、アスペクト比の高い応力ひずみ領域を切断予定ラインに沿って高精度かつ高速に形成することができるだけでなく、加工ラインの幅が小さく、かつ発塵量が極めて少ないため、次世代のダイシング技術として有用である。
【符号の説明】
【００９６】
１００  レーザパルス（レーザビーム）
１００−１  レーザパルスの前半部分
１００−２  レーザパルスの中間部分
１００−３  レーザパルスの後半部分
１０２  偏光方向
１１０  加工対象物
１２０  切断予定ライン
１３０  応力ひずみ領域
１４０  ミラー
１５０  集光レンズ
２００  励起電子
２１０  ポンデラモーティブ力
２２０  追い出された励起電子
２３０  電子密度が高い領域
２４０  電子密度が低い領域
２５０  加工対象物に形成された穴
２６０  アブレーション
３００  レーザ加工装置
３１０  レーザ光源
３２０  テレスコープ光学系
３３０  偏光調整光学系
３４０  ダイクロイックミラー
３５０  ステージ
３６０  観察用光学系
３７０  自動照準システム
３８０  ハーフミラー
３９０  ＸＹＺステージコントローラ
４００  コンピュータ
４１０  モニタ
【図１】
2010239157.tif 000007
【図２】
2010239157.tif 000008
【図３】
2010239157.tif 000009
【図４】
2010239157.tif 000010
【図５】
2010239157.tif 000011
【図６】
2010239157.tif 000012
【図７】
2010239157.tif 000013
【図８】
2010239157.tif 000014
【図９】
2010239157.tif 000015
【図１０】
2010239157.tif 000016